(57)【要約】      （修正有）【課題】切込みの入った板が自由に外せる事で、具材が入れやすい効果があり、切込みの入った板を差し込み、側面を作ることで、側面の切込みに沿って包丁を入れる事により、具材がはみ出す事なく、誰でも簡単に均一にきれいに切る事が出来る。組立容器の中で切ったサンドイッチは、そのままの状態で外蓋をすることで弁当として利用出来る。【解決手段】組立容器の中でサンドイッチを作り、側面の切込み入り板４の切込みに沿って包丁６を入れて切る。組立容器の中で切ったサンドイッチは、そのままの状態で、側面の切込みの入った板だけを取り外し、外枠１と中底２で形成した溝３、あるいは段差を利用して外蓋７をかぶせる。【選択図】図１
2011234811.tif 000002
【特許請求の範囲】
【請求項１】
外枠と中底を組み合わせて、切込み入り板の着脱可能な溝を４辺に形成して、その溝に切込み入り板を挿入して側面を形成したサンドイッチを作るための組立容器。
【請求項２】
切込み入り板の着脱可能な溝を形成するために、請求項１記載の外枠を底板付きのものとし、お互いの位置決めを目的として、底付き外枠と中底のそれぞれに対応する位置に凹凸を設けた請求項１記載の組立容器。
【請求項３】
切込み入り板の着脱可能な溝を形成するために、請求項１記載の中底の周縁にツバを有するツバ付きの中底とし、請求項１記載の外枠の内側下部に凹部を設け、お互いの位置決めを目的として、ツバ付きの中底と内側に凹部を設けた凹部付き外枠を組み合わせた請求項１記載の組立容器。
【発明の詳細な説明】
【技術分野】
【０００１】
本考案は、弁当箱を兼ね備え、具材がはみ出すことなくサンドイッチを作る容器を提供する。
【背景技術】
【０００２】
従来は、まな板等の台の上でサンドイッチを切る時に手で押さえ切っていた。
また、サンドイッチを弁当として持参する場合には、まな板等の台の上で切ったサンドイッチを弁当箱等の容器に移し替えていた。
【先行技術文献】
【特許文献】
【０００３】
【特許文献１】登録実用新案第３１０６９１５号公報
【発明の概要】
【発明が解決しようとする課題】
【０００４】
解決しようとする問題点は、サンドイッチを切る時、手で押さえながら切っていたので、手間がかかる、具材がはみ出る、サンドイッチがずれる、均等な大きさにサンドイッチが切れない等の欠点がある。
【０００５】
切ったサンドイッチを、弁当箱等の容器に移し替える時、手間がかかったり、切り口から具材がこぼれたり、サンドイッチが変形した。
また、切ったサンドイッチを弁当箱にきっちり収めるのが難しい。
【０００６】
弁当の持ち運び中にも、サンドイッチがずれたり、具材がはみ出したりしていた。
本発明は、これらの欠点、難点を解決するためになされたものである。
【課題を解決するための手段】
【０００７】
サンドイッチを作る場合、外枠の中に中底を置いて外枠と中底で溝を形成し、この溝に切込みの入った板を差し込んで側面を作り、サンドイッチを作るための組立容器とする。次に、組立容器の中でサンドイッチを作り、側面の切込みに沿って包丁を入れる。
【０００８】
サンドイッチの耳を切る場合は、側面と側面の間に沿って包丁を入れる事により簡単にきれいに耳を切り、側面の板を取り外す事で切ったパンの耳だけを簡単に取り出せる。
【０００９】
組立容器の中で切ったサンドイッチは、そのままの状態で、側面に切込みの入った板だけを取り外し、外枠と中底で形成した溝、あるいは段差を利用して外蓋をかぶせる事で弁当としても利用出来る。
【００１０】
本発明は、以上の構成によりなる弁当箱兼用サンドイッチ作り容器である。
【発明の効果】
【００１１】
切込みの入った板が自由に外せる事で、具材が入れやすい効果があり、切込みの入った板を差し込み、側面を作ることで、側面の切込みに沿って包丁を入れる事により、具材がはみ出す事なく、誰でも簡単に均一にきれいに切る事が出来る。
【００１２】
サンドイッチの耳を切る場合は、側面と側面の間に沿って包丁を入れる事により、簡単にきれいに耳を切る事が出来、組立てた容器の側面の切込みの入った板を取り外す事が出来るので切ったパンの耳が簡単に取り出せる効果がある。
【００１３】
組立容器の中で切ったサンドイッチは、そのままの状態で外蓋をすることで弁当として利用出来る効果がある。
【００１４】
また、この発明は、組立容器にする事で洗う時、パーツごとに簡単に分解出来る為、洗いやすく、尚且つ衛生的で使用しない時はコンパクトに収納出来る効果がある。
【図面の簡単な説明】
【００１５】
【図１】本発明の要点を示す斜視図
【図２】外枠と中底の組立斜視図
【図３】切込み入り板の正面図
【図４】組立容器の斜視図
【図５】組立容器の断面図
【図６】他の組立容器の断面図
【図７】他の組立容器の断面図
【発明を実施するための形態】
【００１６】
以下、本発明の実施の形態に基づいて説明する。
【実施例１】
【００１７】
図１から図６に基づいて実施例１を説明する。
【００１８】
市販のサンドイッチ等のパンの寸法に合わせた底板付き外枠１の中に中底２を置き、底板付き外枠１と中底２の間に切込み入り板４が着脱可能な溝３を作り、この溝３の４辺に切込み入り板３を差し込んで組立容器を形成する。
【００１９】
次に、この組立容器の中でサンドイッチ５を作った後に側面の切込みに沿って包丁６を入れることにより、具材がはみ出すことなく、手間をかけず、均一に、きれいに切ることが出来る。
【００２０】
サンドイッチの耳を切る場合は、側面と側面の間８（図１のＡ−Ａ‘）に沿って包丁を入れる事により簡単にきれいに耳を切ることが出来る。その後、切込み入り板４を取り外す事で、切ったパンの耳が簡単に取り出せる。
【００２１】
組立容器の中で切ったサンドイッチ５は、側面の切込み入り板４を取り外して、そのままの状態で外蓋７をする事により、乾燥させることなく弁当としても持参出来る。また、切った後で弁当箱へ移し替える手間や洗う手間が省け、具材のこぼれやサンドイッチの変形も解消出来る。
【００２２】
外枠１と外蓋６の固定方法は、市販されている弁当容器等のワンタッチ式の固定方法で本発明の効果を十分に発揮するものである。
【００２３】
さらには、外枠１（図２）の中に中底２（図２）を置き、切込み入り板４（図３）が着脱可能な溝３（図２）を作る場合には、外枠と中底に位置決め用の凹凸ａ、ｂ（図６）を形成しておけば位置合わせが簡単にできる（図５、図６）。
【実施例２】
【００２４】
実施例１では、底板付き外枠１の中に中底２を置き、切込み入り板４が着脱可能な溝３を作る場合につき、底板付き外枠１と中底２に位置決め用の凹凸を形成した例（図５、図６）を説明したが、図３、図７に基づいて実施例２を説明する。
【００２５】
周縁にツバを有するツバｄ付きの中底２（図７）と内側に凹部ｃを形成した外枠１（図７）により、お互いの位置決めが可能にとなり、切込み入り板３（図３）が着脱可能な溝３を簡単に形成できる（図７）。
【符号の説明】
【００２６】
１  外枠
２  中底
３  溝
４  切込み入り板
５  サンドイッチ
６  包丁
７  外蓋
８  切込み入り板の側面
【図１】
2011234811.tif 000003
【図２】
2011234811.tif 000004
【図３】
2011234811.tif 000005
【図４】
2011234811.tif 000006
【図５】
2011234811.tif 000007
【図６】
2011234811.tif 000008
【図７】
2011234811.tif 000009